(57)【要約】【課題】光学式ドライブと半導体メモリなどの記録媒体が装着可能なスロットを備えた場合に、スロットが選択された場合においても光学式ドライブを起動すると消費電力が増えてしまい、記録時間が短くなったりしてしまう問題がある。【解決手段】半導体メモリなどの記録媒体が装着可能なスロットを選択した場合に、光学式ドライブのスピンドルモータを回転させない、光学式ドライブ回路などのデバイスを省電力モードにする等の休止状態へ移行させることにより、消費電力を低減するとともに起動時間の短縮を図ることが可能になる。【選択図】  図１
2004235679.tif 000002
【特許請求の範囲】
【請求項１】
着脱可能な記録媒体に情報の記録を行うドライブを複数備えた撮像装置において、
前記複数のドライブのうち、任意のドライブを選択する選択手段と、
前記複数のドライブに対し、それぞれ情報の記録を行える状態あるいは情報の記録を行えない状態のいずれか一方の状態に制御する制御手段とを備え、
前記選択手段で選択されたドライブに対して情報の記録を行える状態に設定し、前記選択手段で選択されていないドライブに対しては情報の記録を行えない状態に設定することを特徴とする撮像装置。
【請求項２】
請求項１記載の撮像装置において、前記選択手段で選択されていないドライブは、少なくともモータの回転が停止していることを特徴とする撮像装置。
【請求項３】
請求項１記載の撮像装置において、前記選択手段で選択されていないドライブは、少なくとも情報の記録に関与する回路への電源あるいはクロックの供給が停止されていることを特徴とする撮像装置。
【請求項４】
請求項１乃至３記載の撮像装置において、前記複数のドライブは、少なくとも前記記録媒体が光ディスクであるドライブと前記記録媒体がカード型メモリであるドライブであることを特徴とする撮像装置。
【請求項５】
請求項１乃至４記載の撮像装置において、選択手段が、外部より操作可能な切替えスイッチで構成されていることを特徴とする撮像装置。
【発明の詳細な説明】
【０００１】
【発明の属する技術分野】
本発明は、着脱可能な記録媒体に対してデータの記録あるいは再生を行うドライブ手段を複数有する撮像装置に関する。
【０００２】
【従来の技術】
近年、ＤＶＤ−ＲＡＭ、ＤＶＤ−Ｒ等を含む光ディスク、半導体メモリを利用したカード型記録媒体、ハードディスク、テープなどの複数種類の記録媒体を装着し、それぞれの記録媒体に動画像や静止画像等を記録、再生できる記録再生装置が各メーカより発表されている。これらの記録再生装置は、特徴の異なる複数種類の記録媒体を用いることで、それぞれの記録媒体の特徴を補完することができる。
【０００３】
このような記録再生装置の一つとして、従来技術では、記録媒体が装着されるスロットを複数備えた撮像装置に対し、前記複数のスロットのうちのいずれか１つを選択してデータの記録等を行う場合、選択されたスロットに対応して設けられたドライバにのみ電力を供給し、他のスロットに対応するドライバには電力を供給しないようにする電力切替え手段を備えたものがある。
【０００４】
この技術によれば、選択したスロットのドライバのみに電力を供給できるため、消費電力を抑えることができる。（例えば、特許文献１参照）
【０００５】
【特許文献１】
特開２００２−１１２０８５
【０００６】
【発明が解決しようとする課題】
撮像装置の場合、バッテリの電源を利用するため、少しでもデータの記録時間を長くするため、できるだけ電力消費を押さえることが重要である。シャッターチャンスを逃すことなく素早く記録を開始できるようにすることも重要である。さらに、上記従来技術のように複数のドライブを持つ撮像装置の場合には、データをあるドライバに装着されている記録媒体から別のドライブに装着されている記録媒体にまたがって記録するような場合には、別のドライブに装着されている記録媒体へのデータの記録を素早く開始できるようにすることが重要となる。
【０００７】
しかしながら、上記特許文献１記載の従来技術では、ドライバを切替えた場合、選択されていないドライバには電源が供給されていないため、電力切替え手段で新たに選択されたドライバに電力供給を切替えて電源を供給し、その後ドライバを初期状態から起動した後でないとデータの記録を行うことができない。
【０００８】
このため、ドライバを切替えた際、切替えたドライバを使ってデータの記録を行えるようになるまでに、少なくともドライバの起動に要する時間が必要になり、その分だけシャッターチャンスを逃す可能性が高くなる。
【０００９】
特に、ドライバが光ディスクに対するドライバである場合には、他の記録媒体に対するドライバに比べて起動に要する時間が長いため、それだけシャッターチャンスを逃す可能性が高くなる。
【００１０】
さらには、電源切替え制御用にマイクロコンピュータからの専用の出力端子を用意することが必要であり、電源切替え回路も必要となるという問題がある。小型化が重要な撮像装置においては、専用端子の追加及び切替え回路の追加は好ましくない。
【００１１】
本発明の目的は、低消費電力を実現するとともに切替え時の起動時間の短縮を図った撮像装置を提供することにある。
【００１２】
【課題を解決するための手段】
上記課題を解決するために、本発明では、着脱可能な記録媒体に情報の記録を行うドライブを複数備えた撮像装置に対し、前記複数のドライブのうち、任意のドライブを選択する選択手段と、前記複数のドライブに対し、それぞれ情報の記録を行える状態あるいは情報の記録を行えない状態のいずれか一方の状態に制御する制御手段とを設け、前記選択手段で選択されたドライブに対して情報の記録を行える状態に設定し、前記選択手段で選択されていないドライブに対しては情報の記録を行えない状態にする。
【００１３】
好ましくは、前記選択手段で選択されていないドライブでは、少なくともモータの回転が停止させる。また、前記選択手段で選択されていないドライブでは、少なくとも情報の記録に関与する回路への電源あるいはクロックの供給を停止させる。また、好ましくは、前記複数のドライブは、少なくとも前記記録媒体が光ディスクであるドライブ及び前記記録媒体がカード型メモリであるドライブとする。さらに好ましくは、選択手段を、外部より操作可能な切替えスイッチとする。
【００１４】
【発明の実施の形態】
以下、本発明を適用した一実施例を図１から図５を用いて説明する。
図１に、記録媒体としてカード型メモリと光ディスクを使用した本実施例の撮像装置のブロック図の一実施例を示す。
まず、データの記録動作について説明する。レンズ１（光電変換素子を含む）から入力された画像データがカメラＤＳＰ（Ｄｉｇｉｔａｌ  Ｓｉｇｎａｌ  Ｐｒｏｃｅｓｓｏｒ）２を経由し、符号化／復号化ブロック３に入力され、予め設定してある目標符合量に合わせ、圧縮符合化される。この符号化されたデータがデータバッファ４に格納される。
【００１５】
スロット５に挿入された記録媒体（カード型メモリ）１２（以下、カード１２と称す）へ記録する場合は、記録再生制御マイクロコンピュータ７がデータバッファ４より符号化されたデータを取り出し、スロット回路３４、スロット５を経由して、符号化されたデータを電気的にカード１２に書き込みが行われる。
【００１６】
一方、光学式ドライブ８に挿入されている記録媒体（光ディスク）１３（以下、光ディスク１３と称す）に記録する場合は、データバッファ４から符号化されたデータが光学式ドライブ回路３５を経由して光学式ドライブ８に転送され、光を光ディスク１３に照射することにより符号化されたデータの書き込みが行われる。
【００１７】
また、スロット５に挿入されたカード１２からデータの再生を行う場合は、カード１２から記録再生制御マイクロコンピュータ７がスロット回路３４を経由してデータを読み出して、データバッファ４に格納する。
【００１８】
光学式ドライブ８に挿入された記録媒体１３から再生を行う場合は、光ディスク１３から光学式ドライブ回路３５を経由してデータを読み出し、データバッファ４に格納する。
【００１９】
データバッファ４に格納されたデータは、符号化／復号化ブロック３で復号化され、復号化された信号は、外部出力ブロック３１を経由して外部出力端子３２から出力する。これらの制御は常にシステム制御マイクロコンピュータ６により、監視及び制御されている。また、この時の各記録媒体であるカード１２及び光ディスク１３を駆動するスロット回路ブロック３４及び光学式ドライブ回路３５を制御する記録再生制御マイクロコンピュータ７及びドライブ制御マイクロコンピュータ１１の動作もシステム制御マイクロコンピュータ６により制御される。
【００２０】
なお、符号化／復号化ブロック３、外部出力ブロック３１は、回路を用いてハードウエア的に処理を行わせる構成であってもよいし、システム制御マイクロコンピュータ６内にプログラムとして記録され、ソフトウエア的に処理を行う構成であってもよい。
【００２１】
次に、図２及び図１を使用して本発明である記録媒体切替スイッチ３３により記録媒体が選択されたときの動作を説明する。
【００２２】
図２は、記録媒体切替スイッチ３３の詳細な実施例を示す。この記録媒体切替スイッチ３３は、光ディスク、電源ＯＦＦ、スロットの３ポジションがあり、ポジションを切替えることで希望する記録媒体を選択できるようになっている。
【００２３】
ここで、記録媒体切替スイッチ３３によりスロットが選択された場合、媒体選択情報２０がシステム制御マイクロコンピュータ６へ入力される。この情報を受け取ったシステム制御マイクロコンピュータ６は、光学式ドライブ回路３５及び光学式ドライブ８を制御するドライブ制御マイクロコンピュータ１１に対して光学式ドライブ休止要求２１を出力する。このとき、記録再生制御マイクロコンピュータ７に対してもスロット５が選択されているスロット選択情報２３を出力する。
【００２４】
この光学式ドライブ休止要求２１を受け取ったドライブ制御マイクロコンピュータ１１は、光学式ドライブ８のスピンドルモータを回転させない等の制御をするとともに、光学式ドライブ回路３５内のドライブ用ＤＳＰなどのデバイスを休止状態に設定にするための光学式ドライブ休止設定情報２２を光学式ドライブ回路ブロック３５及び光学式ドライブ８に出力する。
なお、本実施例では、休止状態とは、以下の状態を指す。
マイコンソフト→初期化完了状態
ＩＣ（光学式ドライブ８内の各回路）  →  初期化完了状態
ＡＴＡＰＩ（光学式ドライブ８内のインターフェース）→コマンド受付可能状態
光学式ドライブ回路３５→初期化状態
に設定した後に、ＩＣ及びマイコンの動作モードを省電力モード（ＳＬＥＥＰ）状態へ移行させた状態。省電力モードとは、情報の記録に関与しない回路への電源あるいはクロックの供給を停止するモードである。
【００２５】
またこのとき、記録再生制御マイクロコンピュータ７は、スロット回路ブロック３４及びスロット５を制御することによりカード１２への記録または再生の動作を可能とするとともにドライブ制御マイクロコンピュータ１１へのアクセスが発生しないような状態に記録再生制御マイクロコンピュータ７の内部を設定する。この状態にすることにより、選択されていない光学式ドライブ側のブロックを休止状態にすることにより、装置の消費電力を少なくすることができる。
【００２６】
ここで、記録媒体切替スイッチ３３によりスロットから光ディスクに切替えられた場合は、媒体選択情報２０がシステム制御マイクロコンピュータ６へ入力され、システム制御マイクロコンピュータ６からドライブ制御マイクロコンピュータ１１に対して光学式ドライブ８の起動要求を出力し、光学式ドライブ側のブロックを起動させるとともに記録再生制御マイクロコンピュータ７に対してもスロット休止要求を出力しスロット側のブロックを休止状態にする。このとき、光学式ドライブ側のブロックは休止状態にあるので、この起動要求に対しては、上述した休止状態から、データの記録、再生が行える通常状態への移行となるため瞬時に対応できるので、短時間での起動が可能となる。
【００２７】
また一方、光学式ドライブ８に挿入されている光ディスク１３の取り出しなどの要求があった場合は、システム制御マイクロコンピュータ６から記録再生制御マイクロコンピュータ７へ取り出し要求を発行し、記録再生制御マイクロコンピュータ７からドライブ制御マイクロコンピュータ１１への起動要求が発行する。この情報を受け取ったドライブ制御マイクロコンピュータ１１は光学式ドライブ８及び光学式ドライブ回路ブロック３５に対して起動を設定する。これによりドライブは起動を行い、即座に光ディスク１３の取り出しが可能になる。
【００２８】
図３、図４、図５に図１の各マイクロコンピュータの制御フローチャートを示す。
【００２９】
図３は、システム制御マイクロコンピュータ６の制御フローを示す。ステップ１で記録媒体切替スイッチ３３からの媒体選択情報２０を受け取った後、ステップ２で選択されている記録媒体を判別する。ステップ２で判別された結果が図１のスロット５の場合、ステップ３でドライブ制御マイクロコンピュータ１１へ光学式ドライブ休止要求２１を発行しさらに、ステップ１１で記録再生制御マイクロコンピュータ７へ記録媒体選択情報２３（スロット選択）を発行する。ステップ２で光学式ドライブ８が選択された場合は、ステップ４で、ドライブ制御マイクロコンピュータ１１に対して、光学式ドライブ起動要求を発行する。そして、ステップ５で記録再生制御マイクロコンピュータ７へ記録媒体選択情報２３（光学式ドライブ選択）を発行する。
【００３０】
図４はドライブ制御マイクロコンピュータ１１の制御フローを示す。システム制御マイクロコンピュータ６から発行されたステップ３及びステップ４の要求をステップ５で判断する。システム制御マイクロコンピュータ６からの要求がステップ４の光学式ドライブの起動要求の場合は、ステップ６の起動要求を光学式ドライブ８及びこれを制御する光学式ドライブ回路ブロック３５に対して起動制御の設定する。ステップ５で判断された結果が、ステップ３の光学式ドライブ休止要求２１の場合は、ステップ７で光学式ドライブ休止設定を光学式ドライブ８及びこれを制御する光学式ドライブ回路ブロック３５に対して休止制御の設定する。
【００３１】
図５は記録再生制御マイクロコンピュータ７の制御フローを示す。システム制御マイクロコンピュータ６より発行されたステップ１１及びステップ１２の記録媒体選択情報２３をステップ８で判断する。ステップ８で判断した結果がスロット５が選択された場合は、ステップ９でドライブ制御マイクロコンピュータ１１へのアクセスを禁止する設定を記録再生制御マイクロコンピュータ７の内部に行う。ステップ８の結果が光学式ドライブ８の場合は、ステップ１０でドライブ制御マイクロコンピュータ１１へのアクセスを許可する設定を記録再生制御マイクロコンピュータ７の内部に行う。
【００３２】
本実施例では、記録媒体を光ディスク及びカード型メモリの組合せとしたが、組合せはこれに限るものではない。例えば、テープ、光磁気ディスク、磁気ディスク等その他の記録媒体も含めた任意の組合せが可能である。
【００３３】
また、本実施例では、記録媒体を選択する選択手段の結果によって制御を切替えることとしたが、装置内部の設定に従って記録媒体が切替わるようにしてもよい。例えば、図１に示した撮像装置において２つの記録媒体にまたがらないとデータの記録が行えなくなる場合には、装置内部のシステム制御マイクロコンピュータがドライバを適宜選択することで対応する。このような場合であっても、記録媒体が切替わるときに、次の記録媒体用のドライブが短時間で起動可能なので、小容量のデータバッファで途切れなく記録を継続することができる。
【００３４】
さらに、本実施例では、撮像装置を例に挙げて説明したが、本発明の適用範囲は、撮像装置に限られることはなく、広く携帯可能な電子機器に適用可能である。
【００３５】
【発明の効果】
本発明によれば、低消費電力を実現するとともに切り換え時の起動時間の短縮を図った撮像装置を提供することが可能になる。
【図面の簡単な説明】
【図１】本発明を適用した実施例のブロック図。
【図２】本実施例の切替えスイッチのブロック図。
【図３】本実施例のシステム制御マイクロコンピュータ６のフロー図。
【図４】本実施例の記録再生制御マイクロコンピュータ１１のフロー図。
【図５】本実施例のドライブ制御マイクロコンピュータ７のフロー図。
【符号の説明】
１…レンズ、２…カメラＤＳＰ、３…符号化ブロック、４…動画データバッファ、５…スロット、６…システム制御マイクロコンピュータ、７…記録再生制御マイクロコンピュータ、８…光学式ドライブ、１１…ドライブ制御マイクロコンピュータ、１２…記録媒体（カード型メモリ）、１３…記録媒体（光ディスク）、３１…外部出力ブロック、３２…外部出力、３３…記録媒体切替スイッチ、３４…スロット回路、３５…光学式ドライブ回路。
【図１】
2004235679.tif 000003
【図２】
2004235679.tif 000004
【図３】
2004235679.tif 000005
【図４】
2004235679.tif 000006
【図５】
2004235679.tif 000007